(57)【要約】      （修正有）【課題】部屋やトイレに鍵を掛けない状況にあっても、簡単な構造で、室内使用状況が外部の者にわかる表示装置を提供する。【解決手段】本体１と、本体の表面１ａ、１ｂの側に支持体１１、１２を介して取り付けられた異なる表示内容を選択して表示する表示板２と、からなる表示装置であって、支持体は、本体の一方の端部と他方の端部に設けられ、表示板は、一方の端部に設けられた支持体と他方の端部に設けられた支持体との間に取り付けられており、各支持体と表示板は、各支持体に設けられた連結部と表示板に設けられた被連結部において連結されており、連結部と被連結部を通る直線に沿った軸Ｙの軸回りに、表示板が回動可能に取り付けられ、表示板を回動させることにより、表示内容が切り替わる。【選択図】図１
0003216353.tif 000002
【実用新案登録請求の範囲】
【請求項１】
本体（１）と、
前記本体（１）の表面（１ａ、１ｂ）の側に支持体（１１、１２）を介して取り付けられた異なる表示内容を選択して表示する表示板（２）と、
からなる表示装置であって、
前記支持体（１１、１２）は、前記本体（１）の一方の端部と他方の端部に設けられ、
前記表示板（２）は、前記一方の端部に設けられた支持体（１１）と他方の端部に設けられた支持体（１２）との間に取り付けられており、
前記各支持体（１１、１２）と前記表示板（２）は、前記各支持体（１１、１２）に設けられた連結部（１１１、１２１）と前記表示板に設けられた被連結部（２５、２５′）において連結されており、
前記連結部（１１１、１２１）と前記被連結部（２５、２５′）を通る直線に沿った軸(Ｙ)の軸回りに、前記表示板（２）が回動可能に取り付けられ、前記表示板（２）を回動させることにより、表示内容が切り替わることを特徴とする、表示装置。
【請求項２】
前記表示板（２）は、一方の面（２ａ）と他方の面（２ｂ）には異なる表示内容が表示されており、前記一方の面（２ａ）が、前記本体の表面（１ａ）に近づく方向に回動し前記本体の表面（１ａ）と対向した際に表示される表示内容と、前記他方の面（２ｂ）が、前記本体の表面（１ｂ）に近づく方向に回動し前記本体の表面（１ｂ）と対向した際に表示される表示内容とで、異なる表示内容に切り替わることを特徴とする、請求項１に記載された表示装置。
【請求項３】
前記表示板（２）には、前記被連結部（２５、２５′）を補強する補強材（４）が設けられており、
前記補強材（４）は、前記被連結部（２１、２２）を補強するように前記表示板（２）に設けられていることを特徴とする、請求項１又は請求項２に記載された表示装置。
【請求項４】
前記本体（１）には、当該本体（１）が取り付けられる被取り付け体（Ｄ）に取り付け可能な取り付け部（１３）が設けられており、前記取り付け部（１３）は、前記本体（１）に穿設された取り付け孔（１３）であることを特徴とする、請求項１から請求項３のいずれか１項に記載された表示装置。
【請求項５】
前記本体（１）には、当該本体（１）が貼設される被貼設体（Ｄ）に貼設可能な貼設部（１５）が設けられており、前記貼設部（１５）は、前記本体の表面（１ａ、１ｂ）と反対側の面（１ｃ）に設けられていること特徴とする、請求項１から請求項３のいずれか１項に記載された表示装置。
【請求項６】
前記被取り付け体（Ｄ）又は前記被貼設体（Ｄ）が、ドアのドア面であることを特徴とする請求項４又は請求項５に記載された表示装置。
【考案の詳細な説明】
【技術分野】
【０００１】
本考案は、異なる表示内容を選択して表示することが可能な表示装置に関するものである。
【背景技術】
【０００２】
高齢者が増える現代社会において、介護施設やデイサービス施設などでは高齢者を介護する際に、例えば部屋やトイレ等の中で具合が悪くなった時に、直ぐに対応できるように、部屋やトイレ等に鍵を掛けられない状況が存在している。
また、リハビリ施設や身体の不自由な人達を介護する施設も同様の理由で、部屋やトイレ等に鍵を掛けられない状況が存在している。
この様に、部屋やトイレ等に鍵を掛られない又は鍵を掛けていない状況において、部屋やトイレ等の内部の状況（以下、「室内使用状況」という）を知らせるシステムとして、特許文献１に記載されたシステムが知られている。
【０００３】
特許文献１に記載された発明では、個室トイレ１１には、ドア１３の開閉状態を検出するドアスイッチ１４、人物検知センサー１６が装着され、更に送信機側ケーシング２１、受信機側ケーシング３１が設けられている。そして、受信機側ケーシング３１の前面に半透明樹脂から成る表示パネル３２が装着され、トイレ内の使用状況が表示されるようになっている。
【０００４】
上記構成により、特許文献１に記載された発明は、ドアスイッチ１４により、ドアが閉鎖状態になったこと（鍵か掛かっていなくても、閉鎖状態になればよい）が検出された後（入室検出）、人体検知センサー１６によって個室トイレ１１内で人物の存在が検出された場合、ドアスイッチ１４により、ドアの開放状態が検出されるまでは、人体検知センサー１６による人物の存在の検出が行われなくとも（大便等において長時間動きが無かった時等）、送信機側から受信機側へは出室信号は送信されないようになっている。出室信号が送信されないため、表示パネル３２には使用中の表示がされる。つまり、鍵を掛けなくても、個室トイレが使用中であることが個室トイレの外にいる者には、わかるような構成となっている。もちろん、人が入室しない場合は、送信機側から受信機側へは入室信号は送信されないので、表示パネル３２には使用中の表示はされない。
【先行技術文献】
【特許文献】
【０００５】
【特許文献１】特開２００５−３０５１２３号公報
【考案の概要】
【考案が解決しようとする課題】
【０００６】
しかし、特許文献１に記載された発明によれば、鍵を掛けなくても室内使用状況は外部の人々に伝わるが、システム自体の規模が大掛かりなものとなり、更に、人体検知センサー、送信機側ケーシング、受信機側ケーシング等の電子機器を備えていなければならず、コストがかかるという問題があった。
【０００７】
そこで、本考案はこの様な問題に鑑みなされたものであり、その目的は、部屋やトイレ等（以下、「トイレ等」という）に鍵を掛けない状況にあっても、簡単な構造で、室内使用状況がトイレ等の外にいる者にもわかるような表示装置を提供することにある。
【課題を解決するための手段】
【０００８】
上記課題を解決するために、本考案の第１の態様に係る表示装置は、本体と、前記本体の表面の側に支持体を介して取り付けられた異なる表示内容を選択して表示する表示板と、からなる表示装置であって、前記支持体は、前記本体の一方の端部と他方の端部に設けられ、前記表示板は、前記一方の端部に設けられた支持体と他方の端部に設けられた支持体との間に取り付けられており、前記各支持体と前記表示板は、前記各支持体に設けられた連結部と前記表示板に設けられた被連結部において連結されており、前記連結部と前記被連結部を通る直線に沿った軸の軸回りに、前記表示板が回動可能に取り付けられ、前記表示板を回動させることにより、表示内容が切り替わることを特徴とする。
【０００９】
本態様によれば、表示板が、本体の両端部に設けられた支持体に取り付けられ、支持体に表示板が取り付けられている部分、すなわち支持体と表示板が連結している部分、を通る直線に沿った軸の軸回りに表示板が回動可能な構造となっているので、構造自体が簡単で、かつ、表示板を回動させるだけで異なる表示内容を表示することができる。
そのため、トイレ等に鍵を掛けられない状況であっても、本態様の表示板を、トイレ等のドア面に取り付けるだけで、簡単に室内使用状況をトイレ等の外にいる者が知ることができる。
【００１０】
本考案の第２の態様に係る表示装置は、第１の態様において、前記表示板は、一方の面と他方の面には異なる表示内容が表示されており、前記一方の面が、前記本体の表面に近づく方向に回動し前記本体の表面と対向した際に表示される表示内容と、前記他方の面が、前記本体の表面に近づく方向に回動し前記本体の表面と対向した際に表示される表示内容とで、異なる表示内容に切り替わることを特徴とする。
【００１１】
本態様によれば、表示板の一方の面と他方の面には異なる表示内容が表示されているので、一方の面を本体の表面に近づく方向に回動し本体の表面と対向させれば、他方の面の表示内容が、他方の面を本体の表面に近づく方向に回動し本体の表面と対向させれば、一方の面の表示内容が、それぞれ表示される。そのため、例えば、表示板を一枚とする簡単な構成で、２つの異なる表示内容を表示板の一方の面及び他方の面に表示することができる。
【００１２】
そのため、本態様の表示板を、トイレ等のドア面に取り付けるだけで、例えば「使用中」、「空いてます」という異なる表示内容を表示でき、トイレ等の外にいる者が使用状況がわかるので、トイレ等に鍵を掛けられない状況が生じる施設のトイレ等には、本態様の表示板は好適である。
【００１３】
本考案の第３の態様に係る表示装置は、第１又は第２の態様において、前記表示板には、前記被連結部を補強する補強材が設けられており、前記補強材は、前記被連結部を補強するように前記表示板に設けられていることを特徴とする。
本態様によれば、表示板が回動する際に、一番負荷がかかる被連結部に補強材が設けられているので、耐久性に優れる。
【００１４】
本考案の第４の態様に係る表示装置は、第１から第３の態様のいずれか一の態様において、前記本体には、当該本体が取り付けられる被取り付け体に取り付け可能な取り付け部が設けられており、前記取り付け部は、前記本体に穿設された取り付け孔であることを特徴とする。
【００１５】
本態様によれば、第１の態様から第３の態様の効果に加え、本体を被取り付け体（例えば、ドア面）に取り付ける際に、本体には穿設された取り付け孔があるので、当該取り付け孔を利用してネジ等で本体を被取り付け体に取り付けることにより、確実に被取り付け体に表示装置を取り付けることができる。
【００１６】
本考案の第５の態様に係る表示装置は、第１から第３の態様のいずれか一の態様において、前記本体には、当該本体が貼設される被貼設体に貼設可能な貼設部が設けられており、前記貼設部は、前記本体の表面と反対側の面に設けられていること特徴とする、
【００１７】
本態様によれば、第１の態様から第３の態様の効果に加え、本体を被貼設体（例えば、ドア面）に貼設する際には、本体の表面と反対側の面（裏面）に被貼設体に貼設可能な貼設部が設けられているので、貼設部と被貼設体の表面とを接触させて、表示装置と被貼設体を貼設することができる。
特に、表示装置自体が軽い素材でできている場合や表示装置を被貼設体にねじ等で取り付けて被貼設体に傷を付けたくない場合に、本態様を利用するのは効果がある。
【００１８】
本考案の第６の態様に係る表示装置は、第４又は第５の態様において、前記被取り付け体又は前記被貼設体が、ドアのドア面であることを特徴とする。
本態様によれば、第４又は第５の態様と同様の効果が得ることができる。
【考案の効果】
【００１９】
本発明は、トイレ等に鍵を掛けない状況にあっても、簡単な構造で、室内使用状況がトイレ等の外にいる者にもわかるという効果を有している。
【図面の簡単な説明】
【００２０】
【図１】（ａ）は、本考案の実施形態に係る表示装置の正面図、（ｂ）は（ａ）の表      示内容と異なる表示内容に切り替わる際の斜視図。
【図２】（ａ）は、図１とは異なる状況の、本考案の実施形態に係る表示装置の正面      図、（ｂ）は（ａ）の表示内容と異なる表示内容に切り替わる際の斜視図。
【図３】本考案の実施形態に係る表示装置の平面図。
【図４】図３のＩ−Ｉ線における断面図。
【図５】本考案の実施形態に係る表示装置の背面図。
【図６】本考案の実施形態に係る表示装置の第１の実施例の外観図。
【考案を実施するための形態】
【００２１】
以下、図面を参照しながら本考案に係る表示用装置の実施形態について説明するが、本考案は当該実施形態に限定されるものではない。
また、以下の図面の記載では、同一部分に同一の符号を付している。
【００２２】
先ず、図１及び図２を参照にしながら本考案の実施態様に係る表示装置において、その構造と使用方法について説明する。
図１（ａ）は、本考案の実施形態に係る表示装置Ａの正面図であり、（ｂ）は、（ａ）の表示内容とは異なる表示内容に切り替わる際の斜視図である。
なお、図１においては、紙面の裏側から表側に向かう方向を前方向、水平方向を横（幅）方向、鉛直方向を縦（長さ）方向とする。この点については、図２も同様である。
【００２３】
本態様における表示装置Ａは、所定の厚みを持った縦長の長方形状の本体１と、本体１の上端面および下端面に沿って前方に突出して各端面に設けられた横長の長方形状をした支持体１１、１２と、支持体１１、１２間において、支持体１１、１２のほぼ中央で連結部材３、３′によって支持体１１、１２と連結された縦長の長方形状の表示板２、とから構成されている。
【００２４】
表示板２は、上端面２３、下端面２４において、一方の側端面２２の各端部側で支持体１１、１２と連結部材３、３′によって固定され、一方の側端面２２は、本体１の縦方向に沿って、固定され、連結部材３、３′を通る直線に沿った軸Ｙの軸回りに、他方の側端面２１を自由端として、回動可能に支持体１１、１２に取り付けられている。
【００２５】
また、表示板２の上端面２３及び下端面２４は、表示板２が軸Ｙの軸回りに回動し易いように、支持体１１及び支持体１２の内面１１a及び１１ｂとわずかな隙間ができるように設けられている。また、一方の側端面２２も同様に表示板２が回動し易いように、本体１の表面１ａ、１ｂとわずかな隙間ができるように設けられている。本態様では、実際には、一方の側端面２２においては、所定の幅を持って長さ方向に補強材４（補強材については後述）が一方の側端面２２を囲む様に設けられているので（図３、図４参照）、補強材４と本体１の表面１ａ、１ｂとの間にわずかな隙間ができている（図３参照）。
さらに、表示板２は、本体１の表面全体（表面１ａと表面１ｂの合計の面積）の面積の約半分覆う面積（１ａ又は１ｂの面積とほぼ同じ面積）を有している。
【００２６】
表示装置Ａの本体１には、表面１ａ、１ｂから、裏面１ｃ（図５参照）に貫通する取り付け孔１３が穿設されている。当該取り付け孔１３を利用して、ネジ等で表示装置Ａをドア面Ｄ（図６参照）に取り付けることが出来る。更に、表面１ａ、１ｂには、付加情報表示部１４が設けられている。付加情報表示部は、追加情報を表示する部分であり、例えば、部屋番号、トイレ番号、または点字等を表示或いは設けるための部分である。
【００２７】
ここで、表示装置Ａの本体１、支持体１１、１２及び表示板２の材質は、アクリル、発砲スチロール等の樹脂、金属、木等が挙げられるが、通常の看板等に用いられる公知の素材であれば、材質は限定されない。又、大きさについても、使用状況において適宜選択することができるので、特に限定されるものではない。
【００２８】
次に、表示装置Ａの使用方法について説明する。
図１において、表示装置Ａは、表示板２の一方の面２ａには一の状況である「空いてます」が、他方の面２ｂには他の状況である「使用中」が示され、どちらかを使用状況に応じて、選択して表示できるようになっている。例えば、本態様の表示装置Ａでは、トイレ等の「室内使用状況」を表示することが可能である。
【００２９】
図１（ａ）には、表示板２の一方の面２ａに「空いています」が表示され、一の状況が表示されている。この表示内容は、表示板２の他方の面２ｂ（表示は「使用中」）が、本体１の表面１ｂに近づく方向に回動して（図２（ｂ）参照）本体１の表面１ｂと対向した際に表示される表示内容である。
【００３０】
そして、一に状況である「空いてます」から、他の状況である「使用中」へと表示内容を切り替えるには、指や手のひら（以下、「指等」）で、表示板２の他方の側端面２１を持って矢印方向に回動させることにより表示内容を切り替えることが出来る。
この様に本考案は、構造自体が大掛かりにならず、かつ低コストで、「室内使用状況」の表示を変更することができる表示装置である。
【００３１】
図２（ａ）は、図１とは異なる状況の、本考案の実施形態に係る表示装置Ａの正面図であり、（ｂ）は、（ａ）の表示内容とは異なる表示内容に切り替わる際の斜視図である。
図２は、図１の状態と逆の状況を示したものである。図１と同一部分に同一の符号を付して、図１と重複する部分については説明を省略する。
【００３２】
図２（ａ）には、表示板２の他方の面２ｂに「使用中」が表示され、一の状況が表示されている。この表示内容は、表示板２の一方の面２ａ（表示は「空いてます」）が、本体１の表面１ａに近づく方向に回動して（図１（ｂ）参照）本体１の表面１ａと対向した際に表示される表示内容である。
【００３３】
なお、「使用中」から「空いてます」へと表示内容を切り替えるには、図１の場合と同様に指等で、表示板２の他方の側端面２１を持って矢印方向に回動させることにより表示内容を切り替えることが出来る。
【００３４】
なお、本態様では、表示板２を回動させるために、他方の側端面２１を持って矢印方向に回動させる構成としたが、例えば、側端面につまみ部を設けたり、側端面付近に凹み部を設けて指等で回動させるような構成としてもよい。
【００３５】
図３及び図４を参照にしながら、支持体１１、１２と表示板２の連結部分及び補強材４について説明する。
図３は、本考案の実施形態に係る表示装置の平面図である。また、図４は図３のＩ−Ｉ線における断面図である。
なお、図１及び図２と同一部分には同一の符号を付して、重複する部分についての説明は省略することとする。
【００３６】
図３には、表示板２が支持体１１と連結部材３の一態様であるピン付きネジ３によって連結され、連結された部分の回りを囲む様に、補強材４が設けられている状態が記載されている。詳説すると、補強材４は一方の側端面２２を囲むようにして、表示板２の表面２a、２ｂに接着することにより設けられている。
【００３７】
図４には、支持体１１、１２と表示板２の連結状態が記載されている。
支持体１１、１２には、表示板２の上端面２３及び下端面２４のそれぞれの一方の端部（一方の側端面２２からやや他方の側端面２１側）に設けられた被連結部２５、２５′と連結するための連結部である貫通孔１１１、１２１が設けられている。
そして、支持体１１、１２と表示板２は、ピン付きネジ３、３′が貫通孔１１１、１２１を貫通し、被連結部２５、２５′に嵌挿することにより連結されている。
【００３８】
貫通孔１１１、１２１には、ピン付きネジ３、３′のネジ部分３１、３１′と螺合する螺合部が設けられている。また、ピン付きネジ３、３′のピン部分３２、３２′が被連結部２５、２５′に嵌挿されることにより、表示板２が回動可能となっている。
【００３９】
ここで、被連結部２５、２５′は表示板２の回動により負荷がかかる部分なので、被連結部２５、２５′を補強するために、所定の幅（紙面水平方向）を持って長さ方向（紙面鉛直方向）にわたって補強材４が一方の側端面２２を囲む様に表示板２の一方の面２aと他方の面２ｂに設けられている（図３参照）。
なお、本態様では、一方の側端面２２の長さ方向の全てにおいて補強材４を設けているが、表示板２の回動による負荷が大きい被連結部２５、２５′に相当する長さ方向の部分にまで設けることとしてもよい。
【００４０】
図３において、補強材４は、本体表面の側と対向する部分において、表示板２が回動し易い様にやや丸みを帯びる加工をしている。当該加工をすることで表示板２に係る負荷を軽減している。
なお、上述の丸み加工をしなくても、表示板２の回動に支障をきたさない範囲であれば、補強材４は、一方の側端面２２を囲む様に設けなくても、表示板２の一方の面２aと他方の面２ｂに表示板２を挟むように設けることとしてもよい。
【００４１】
図５には、本態様の表示装置Ａの本体１の表面１ａ、１ｂと反対側の面である裏面１ｃの状態が記載されている。
裏面１ｃには、本体１が貼設される被貼設体（例えば、ドア面）に、本体１が貼設可能な様に貼設部１５が設けられている。貼設部１５の一態様として接着テープ、両面テープ又は接着剤等（以下、「接着テープ等」）を設け、ドア面に裏面１ｃの接着テープ等を接触させることにより、表示装置Ａをドア面に貼設することができる。特に、表示装置Ａが軽い材質で構成されている場合には有効である。
【００４２】
次に、本考案に係る表示装置Ａの実施例について説明する。
[実施例１]
図６には、本考案に係る表示装置Ａを洗面所（トイレ）のドア（Ｄ）のドア面に適用した状態が示されている。
本実施例の表示装置Ａは、材質はアクリル樹脂を使用しており、本体の幅（図面において水平方向）が１３０ｍｍ、高さ（図面において鉛直方向）が２９０ｍｍの大きさを有している。また、本体の裏面には、貼設部の一態様である接着テープが設けられ、接着テープによって本体裏面と被貼設体であるドア（Ｄ）のドア面とが接着され、表示装置Ａがドア（Ｄ）のドア面に貼設されている。
また、本体左上部には付加情報表示部１４の一態様であるプレートＰが設けられ、洗面所（トイレ）の番号が刻印されており（本実施例では「１」）、どの洗面所（トイレ）が空いているかわかるようになっている。
本考案はこの様に、簡単な構造の表示装置Ａをドア（Ｄ）のドア面に取り付ける（又は貼設する）だけで、室内使用状況がわかる構成になっている。
【００４３】
なお、本考案に係る表示装置Ａの大きさについては、適用する状況に応じて適宜変更することができる。
例えば、コンサート会場やイベント会場等の催し物か開催される場所では、仮設トイレを設置する場合があるが、このような場合、遠くからでも使用状況がわかることが望ましい。そこで、仮設トイレのドア面に取り付ける表示装置を大きくして、表示板に記載される表示内容を大きくすることにより、遠くからでも仮設トイレの使用状況を把握することが出来るように表示装置Ａの大きさ適宜設定すればよい。
【００４４】
[他の実施例]
実施例１では、表示装置Ａを洗面所（トイレ）のドア（Ｄ）のドア面に適用したが、店舗のドアのドア面に適用し、店舗の開店状況を知らせる態様も可能である。
図１（ａ）において、表示板２の「空いてます」の表示を「ＯＰＥＮ」（営業中の意）と表示し、本体１の表面１ａに、例えば営業時間を「１０：００〜１９：００」と表示する。
一方、図１（ｂ）において、表示板２の「使用中」の表示を「ＣＬＯＳＥ」（営業していないの意）と表示し、本体１の表面１ｂに、例えば「ありがとうございました」と表示する。
上述の様な態様とすることで、店舗の開店状況を知らせることも可能である。なお、表示装置Ａはドア面のみならず、立て看板の表面に取り付けて（又は貼設して）使用することも可能である。
【産業上の利用可能性】
【００４５】
本考案は、簡単な構造で、室内使用状況がトイレ等の外にいる者にもわかるような表示装置の分野に用途展開できる。
【符号の説明】
【００４６】
１      ：本体
２      ：表示板
３      ：連結部材（ピン付きネジ）
４      ：補強材
１１    ：支持体
１２    ：支持体
１３    ：取り付け孔
１４    ：付加情報表示部
１５    ：貼設部
２１    ：他方の側端面
２２    ：一方の側端面
２３    ：上端面
２４    ：下端面
２５、２５′：被連結部
３１、３１′：ネジ部分
３２、３２′：ピン部分
１１１  ：連結部
１２１  ：連結部
１a、１ｂ：本体の表面
２a      ：表示板の一方の面
２ｂ     ：表示板の他方の面
【図１】
0003216353.tif 000003
【図２】
0003216353.tif 000004
【図３】
0003216353.tif 000005
【図４】
0003216353.tif 000006
【図５】
0003216353.tif 000007
【図６】
0003216353.tif 000008
【手続補正書】
【提出日】平成30年3月14日(2018.3.14)
【手続補正１】
【補正対象書類名】実用新案登録請求の範囲
【補正対象項目名】請求項３
【補正方法】変更
【補正の内容】
【請求項３】
前記表示板（２）には、前記被連結部（２５、２５′）を補強する補強材（４）が設けられており、
前記補強材（４）は、前記被連結部（２５、２５′）を補強するように前記表示板（２）に設けられていることを特徴とする、請求項１又は請求項２に記載された表示装置。